(57)【要約】      （修正有）【課題】周辺の状況に即した音量のエラー音にてエラーを報知する自動分析装置を提供する。【解決手段】分析機構３と、エラー検出部１１と、音量測定部１２と、エラー処理部１４と、エラー出力部１５とを備える。分析機構は、検体に対して予め定められた項目に関する分析を実施する。エラー検出部は、分析に関するエラーを検出する。音量測定部は、マイク８からの出力に基づき、周辺音の音量を測定する。エラー処理部は、エラー検出部がエラーを検出した場合、当該エラーを報知するエラー音の音量を、音量測定部が測定する周辺音の音量に応じて決定する。エラー出力部は、エラー処理部が決定した音量のエラー音をスピーカ９に出力させる。【選択図】図２
2015004603.tif 000002
【特許請求の範囲】
【請求項１】
検体に対して予め定められた項目に関する分析を実施する分析機構と、
前記分析に関するエラーを検出するエラー検出部と、
マイクからの出力に基づき、周辺音の音量を測定する音量測定部と、
前記エラー検出部がエラーを検出した場合、当該エラーを報知するエラー音の音量を、前記音量測定部が測定する周辺音の音量に応じて決定するエラー処理部と、
前記エラー処理部が決定した音量の前記エラー音をスピーカに出力させるエラー出力部と、
を備える自動分析装置。
【請求項２】
前記エラー処理部は、前記エラー検出部が検出したエラーの重度を判定し、前記エラー音の音量を、前記音量測定部が測定する周辺音の音量が大きいほど小さくなり、かつ、前記重度が高いほど大きくなるように決定する、
請求項１に記載の自動分析装置。
【請求項３】
当該自動分析装置の操作位置に所在するオペレータを検出するオペレータ検出部をさらに備え、
前記エラー処理部は、前記オペレータ検出部がオペレータを検出した場合、前記エラー音の音量を予め定められた音量に決定する、
請求項１に記載の自動分析装置。
【請求項４】
前記エラー処理部は、前記エラー音の音量を、前記音量測定部が測定する周辺音の音量が大きいほど小さくなり、かつ、特定の時間帯において小さくなるように決定する、
請求項１に記載の自動分析装置。
【請求項５】
前記マイクと、前記スピーカと、をさらに備える、
請求項１乃至４のうちいずれか１に記載の自動分析装置。
【発明の詳細な説明】
【技術分野】
【０００１】
本発明の実施形態は、自動分析装置に関する。
【背景技術】
【０００２】
自動分析装置は、例えば血液、尿、髄液、或いは組織等の検体に対して各種の検査を行う手順を自動化した装置である。自動分析装置は同時に大量の検査が可能であり、病院、検査機関等において広く利用され作業性の向上に大きく貢献している。
【０００３】
従来の自動分析装置は、装置の機構に故障或いは異常が発生した場合やデータが異常を含む場合（以下、エラーと呼ぶ）に、エラー音を発生することで当該エラーの発生をオペレータに報知する機能を備えることが一般的である。
【０００４】
自動分析装置自体が発生する騒音や、自動分析装置周辺の騒音により、エラー音が聞こえにくくなる場合がある。
【０００５】
エラー音の音量を大きく設定しておくことで騒音が大きい場合でも当該エラー音を聞き易くすることはできる。しかしながらこの場合、例えば夜間のように周辺が静かである状況下においては不必要に大きい音が鳴ることになり、オペレータにとって不快であるし、近くの病室に迷惑をかける可能性もある。
【先行技術文献】
【特許文献】
【０００６】
【特許文献１】特開２００６−１７０８６８号公報
【発明の概要】
【発明が解決しようとする課題】
【０００７】
本発明が解決しようとする課題は、周辺の状況に即した音量のエラー音にて、自動分析装置に生じるエラーを報知することである。
【課題を解決するための手段】
【０００８】
一実施形態に係る自動分析装置は、分析機構と、エラー検出部と、音量測定部と、エラー処理部と、エラー出力部とを備える。上記分析機構は、検体に対して予め定められた項目に関する分析を実施する。上記エラー検出部は、上記分析に関するエラーを検出する。上記音量測定部は、マイクからの出力に基づき、周辺音の音量を測定する。上記エラー処理部は、上記エラー検出部がエラーを検出した場合、当該エラーを報知するエラー音の音量を、上記音量測定部が測定する周辺音の音量に応じて決定する。上記エラー出力部は、上記エラー処理部が決定した音量の上記エラー音をスピーカに出力させる。
【図面の簡単な説明】
【０００９】
【図１】一実施形態に係る自動分析装置の要部構成を示すブロック図。
【図２】上記実施形態に係る自動分析装置の制御構成を示すブロック図。
【図３】上記実施形態に係る設定ファイルのデータ構造の一例を示す図。
【図４】上記実施形態に係るエラー音設定画面の一例を示す図。
【図５】上記実施形態に係る自動分析装置の動作を示すフローチャート。
【発明を実施するための形態】
【００１０】
一実施形態につき、図面を参照しながら説明する。  
図１は、本実施形態に係る自動分析装置１の要部構成を示すブロック図である。  
自動分析装置１は、ラックサンプラ２と、分析機構３と、ラックサンプラ２を覆うカバー４と、分析機構３を覆うカバー５とを上面側に備える。
【００１１】
ラックサンプラ２は、例えば血液、尿、髄液、或いは組織等の検体が入れられた検体容器を収容する。ラックサンプラ２は、中央付近に設けられた供給口２ａから分析機構３に検体容器を供給する。
【００１２】
分析機構３は、反応ディスク、試薬庫、サンプリングアーム、試薬アーム、測定装置、及び、洗浄装置等を備える。反応ディスクは、検体容器に収容された検体を分注するための多数の反応容器を保持する。試薬庫は、予め定められた項目に関する分析に使用される試薬が収容された複数の試薬容器を保持する。サンプリングアームは、検体容器に収容された検体を反応容器に分注する。試薬アームは、試薬容器に収容された試薬を反応容器に分注する。測定装置は、検体と試薬の混合液が収容された反応容器に光を照射し、透過した光の光量を測定する。洗浄装置は、反応容器及びサンプリングアームのプローブ等を洗浄及び乾燥する。
【００１３】
さらに、自動分析装置１は、コンソール６と、カメラ７と、マイク８とを上面側に備える。コンソール６は、例えばＬＣＤ（Liquid Crystal Display）であるディスプレイと、このディスプレイの前面に設けられたタッチパネルとを備える。コンソール６は、タッチパネルを介して操作可能な各種のＧＵＩ（Graphical User Interface）を含む画面を表示する。
【００１４】
カメラ７は、例えばコンソール６の上縁部に配置され、コンソール６の正面側を撮影する。マイク８は、コンソール６の後方に配置され、周辺の音の大きさを表す音データを生成する。
【００１５】
コンソール６の正面側の床面には、自動分析装置１に接続された人感センサ１００が設置されている。人感センサ１００は、例えばオペレータが乗った際にその重量によってオンされるスイッチを含む。人感センサ１００は、上記スイッチがオンされている間、検知信号を自動分析装置１に出力する。
【００１６】
図２は、自動分析装置１の制御構成を示すブロック図である。自動分析装置１は、図１に示した構成要素の他に、制御に関わる主要な構成要素として、コントローラ１０と、記憶装置２０と、時計回路３０とを備える。
【００１７】
コントローラ１０は、ＣＰＵ（Central Processing Unit）、ＲＯＭ（Read Only Memory）、及び、ＲＡＭ（Random Access Memory）等を備える。ＲＯＭ等に記憶されたコンピュータプログラムをＣＰＵにより実行することで、コントローラ１０は、自動分析装置１の各部の制御やデータ処理に関わる処理を実現する。
【００１８】
記憶装置２０は、データ２１と、設定ファイル２２とを記憶する。データ２１は、分析機構３が実施する分析の結果及び検体の採取元である被検者の情報等を含む。設定ファイル２２は、エラーを報知するためのエラー音に関する情報を含む。
【００１９】
時計回路３０は、日時を例えば年、月、日、時、分、秒の単位でカウントする。
【００２０】
コントローラ１０は、自動分析装置１にて発生するエラーの処理に関し、エラー検出部１１、周辺音量計測部１２、オペレータ検出部１３、エラー処理部１４、及び、エラー出力部１５として機能する。
【００２１】
エラー検出部１１は、分析機構３を含むハードウェアに関する異常を検出する。以下、この異常をハードウェアエラーと呼ぶ。ハードウェアエラーとしては、例えば分析機構３の各部を駆動するためのモータの異常停止、試薬庫における試薬の欠乏、洗浄装置が使用する洗浄液の欠乏、分析機構３等が備えるサーミスタによる検知温度の異常などがある。また、エラー検出部１１は、データ２１に関する異常を検出する。以下、この異常をデータエラーと呼ぶ。データエラーとしては、例えば検査結果の数値に関する異常等がある。エラー検出部１１は、検出したエラーの種別を示すエラー情報をエラー処理部１４に出力する。エラー情報は、例えばエラーの種別毎に割り当てられたエラーコードである。
【００２２】
周辺音量計測部１２は、マイク８が生成した音データを取り込み、当該音データが表す音の大きさを計測する。以下、この音の大きさを周辺ノイズＮ［dB］と呼ぶ。周辺ノイズＮは、例えば音データが表す音の大きさの所定期間内における平均値或いは最大値とすることができる。周辺音量計測部１２は、計測した周辺ノイズＮを表す周辺音量データをエラー処理部１４に出力する。
【００２３】
オペレータ検出部１３は、カメラ７が撮影した画像、及び、人感センサ１００から出力される検知信号に基づいて、自動分析装置１の正面に所在するオペレータを検出する。具体的には、オペレータ検出部１３は、カメラ７が撮影した画像から人の認識を試み、認識できたならばオペレータを検出したと判定する。当該画像からの人の認識には、周知のオブジェクト認識技術を利用できる。また、オペレータ検出部１３は、人感センサ１００から検知信号が出力されている間、オペレータを検出したと判定する。オペレータ検出部１３は、オペレータを検出できたか否かを表す検出情報をエラー処理部１４に出力する。
【００２４】
エラー処理部１４は、エラー検出部１１から出力されるエラー情報、周辺音量計測部１２から出力される周辺音量データ、オペレータ検出部１３から出力される検出情報、時計回路３０がカウントする時刻情報、及び、設定ファイル２２の内容に基づいて各種のエラー処理を実行する。このエラー処理は、エラー出力データを生成する処理を含む。エラー出力データは、コンソール６のディスプレイに表示させるための表示データと、スピーカ９に出力させるエラー音の音量等を表す音データとを含む。エラー処理部１４は、生成したエラー出力データをエラー出力部１５に出力する。
【００２５】
エラー出力部１５は、エラー処理部１４から出力されたエラー出力データに基づき、エラーを報知する。具体的には、エラー出力部１５は、エラー出力データに含まれる表示データに応じた画面をコンソール６のディスプレイに表示させる。さらに、エラー出力部１５は、エラー出力データに含まれる音データに応じたエラー音をスピーカ９に出力させる。
【００２６】
ここで、設定ファイル２２について説明する。  
設定ファイル２２のデータ構造の一例を図３に示す。設定ファイル２２は、エラーの緊急性を表すエラー重度ごとに、基本音量Ａ［dB］と、周辺ノイズ補正量Ｂ［dB］とを定める。本実施形態では、エラー重度として、緊急性が高い順に「緊急」、「警告」、「通常」が定められている。基本音量Ａは、基準とすべきエラー音量である。周辺ノイズ補正量Ｂは、周辺ノイズＮに応じて基本音量Ａに加算すべき音量である。以下、エラー重度「緊急」に対する基本音量Ａ及び周辺ノイズ補正量ＢをそれぞれＡ１及びＢ１、エラー重度「警告」に対する基本音量Ａ及び周辺ノイズ補正量ＢをそれぞれＡ２及びＢ２、エラー重度「通常」に対する基本音量Ａ及び周辺ノイズ補正量ＢをそれぞれＡ３及びＢ３と呼ぶ。エラー重度が高いほど確実にオペレータにエラーの発生を知らせる必要があることから、基本音量Ａ１〜Ａ３及び周辺ノイズ補正量Ｂ１〜Ｂ３は、Ａ１＞Ａ２＞Ａ３、Ｂ１＞Ｂ２＞Ｂ３が成立するように設定することが好ましい。
【００２７】
設定ファイル２２は、オペレータ音量Ｃ［dB］をさらに定める。オペレータ音量Ｃは、オペレータが自動分析装置１の正面に所在する場合に設定すべきエラー音の音量である。オペレータが自動分析装置１の正面に所在する場合、エラー音が小さくてもオペレータが気付き易いので、オペレータ音量Ｃは基本音量Ａ１〜Ａ３以下の値に設定してもよい。また、エラーの発生時において、コンソール６のディスプレイには上述のエラー出力データに含まれる表示データに応じた画面が表示されるため、オペレータ音量Ｃを零としてもオペレータがエラーの発生に気付くと想定される。
【００２８】
設定ファイル２２は、夜間補正時間と、夜間補正量Ｄ［dB］とをさらに定める。夜間補正時間は、補正開始時刻ＨＸ：ＭＸ（ＨＸ時ＨＸ分）と、補正終了時刻ＨＹ：ＭＹ（ＨＹ時ＭＹ分）とを含む。夜間補正量Ｄは、夜間補正時間ＨＸ：ＭＸ〜ＨＹ：ＭＹにおいて基本音量Ａに加算すべき音量である。夜間においては、周辺ノイズが小さいと想定されること、さらには大きなエラー音を出すことで周囲の病室等に迷惑をかける事態が生じる可能性があることを考慮して、夜間補正量Ｄはマイナスの値に設定することが好ましい。
【００２９】
設定ファイル２２の内容は、図４に示すエラー音設定画面２００を用いて変更することができる。エラー音設定画面２００は、コンソール６に対する所定の操作がなされた際に、コンソール６のディスプレイに表示される。エラー音設定画面２００は、タッチパネルを介して操作可能なＧＵＩとして、入力エリア２０１〜２１２と、ＯＫボタン２１３と、キャンセルボタン２１４とを含む。入力エリア２０１〜２１２には、例えばコンソール６のディスプレイに表示されるテンキーの操作により、任意の数値を入力できる。
【００３０】
ＯＫボタン２１３が操作されると、コントローラ１０は、設定ファイル２２における基本音量Ａ１〜Ａ３をそれぞれ入力エリア２０１〜２０３に入力された数値に書き換え、周辺ノイズ補正量Ｂ１〜Ｂ３をそれぞれ入力エリア２０４〜２０６に入力された数値に書き換え、オペレータ音量Ｃを入力エリア２０７に入力された数値に書き換え、補正開始時刻のＨＸ，ＭＸをそれぞれ入力エリア２０８，２０９に入力された数値に書き換え、補正終了時刻のＨＹ，ＭＹをそれぞれ入力エリア２１０，２１１に入力された数値に書き換え、夜間補正量Ｄを入力エリア２１２に入力された数値に書き換える。その後、コントローラ１０は、エラー音設定画面２００を閉じる。
【００３１】
キャンセルボタン２１４が操作されると、コントローラ１０は、設定ファイル２２の内容を書き換えることなくエラー音設定画面２００を閉じる。
【００３２】
自動分析装置１にてエラーが発生した際の動作につき、図５のフローチャートを参照して説明する。  
エラー検出部１１が何らかのハードウェアエラー或いはデータエラーを検出し、エラー処理部１４に当該エラーの種別を示すエラー情報を出力すると、エラー処理部１４が当該エラーのエラー重度を判定する（ステップＳ１）。エラー処理部１４は、例えばエラーの種別とエラー重度とを対応付けたファイルを参照し、エラー検出部１１が出力したエラー情報にて示されるエラーのエラー重度を特定する。このようなファイルは、予め記憶装置２０或いはコントローラ１０のＲＯＭ等に記憶しておけばよい。
【００３３】
ステップＳ１の後、エラー処理部１４は、コントローラ１０のＲＡＭに出力音量を表す変数Ｓを生成する。エラー処理部１４は、設定ファイル２２を参照してステップＳ１にて判定したエラー重度に対応する基本音量Ａを特定し、変数Ｓに当該特定した基本音量Ａを代入する（ステップＳ２）。
【００３４】
ステップＳ２の後、周辺音量計測部１２がマイク８から音データを取り込み、周辺ノイズＮを計測する（ステップＳ３）。周辺音量計測部１２は、周辺ノイズＮを表す周辺音量データをエラー処理部１４に出力する。
【００３５】
ステップＳ３の後、エラー処理部１４は、周辺音量計測部１２が出力した周辺音量データが表す周辺ノイズＮが、変数Ｓの値以上であるか否かを判定する（ステップＳ４）。周辺ノイズＮが変数Ｓの値以上であると判定した場合（ステップＳ４のＹｅｓ）、エラー処理部１４は、設定ファイル２２を参照してステップＳ１にて判定したエラー重度に対応する周辺ノイズ補正量Ｂを特定し、特定した周辺ノイズ補正量Ｂを現在の変数Ｓの値に加算した値にて、変数Ｓを書き換える（ステップＳ５）。
【００３６】
ステップＳ５の後、或いはステップＳ４において周辺ノイズＮが変数Ｓの値以上でないと判定した場合（ステップＳ４のＮｏ）、エラー処理部１４は、現在の時刻が夜間補正時間ＨＸ：ＭＸ〜ＨＹ：ＭＹに属するか否かを判定する（ステップＳ６）。具体的には、エラー処理部１４は、設定ファイル２２を参照して夜間補正時間ＨＸ：ＭＸ〜ＨＹ：ＭＹを特定するとともに、時計回路３０から時刻情報を取り込み、夜間補正時間ＨＸ：ＭＸ〜ＨＹ：ＭＹに当該時刻情報にて表される現在の時刻が属するか否かを判定する。
【００３７】
現在の時刻が夜間補正時間ＨＸ：ＭＸ〜ＨＹ：ＭＹに属すと判定した場合（ステップＳ６のＹｅｓ）、エラー処理部１４は、設定ファイル２２を参照して夜間補正量Ｄを特定し、特定した夜間補正量Ｄを現在の変数Ｓの値に加算した値にて、変数Ｓを書き換える（ステップＳ７）。
【００３８】
ステップＳ７の後、或いはステップＳ６において現在の時刻が夜間補正時間ＨＸ：ＭＸ〜ＨＹ：ＭＹに属さないと判定した場合（ステップＳ６のＮｏ）、オペレータ検出部１３がオペレータの検出を試みる（ステップＳ８）。オペレータ検出部１３は、カメラ７が撮影した画像、及び、人感センサ１００からの出力の少なくとも一方に基づいてオペレータが検出できたならば、オペレータを検出できたことを表す検出情報をエラー処理部１４に出力する。オペレータ検出部１３は、カメラ７が撮影した画像、及び、人感センサ１００からの出力のいずれに基づいてもオペレータが検出できないならば、オペレータを検出できないことを表す検出情報をエラー処理部１４に出力する。
【００３９】
ステップＳ８の後、エラー処理部１４は、オペレータ検出部１３から出力された検出情報に基づき、オペレータを検出できたか否かを判定する（ステップＳ９）。オペレータを検出できたと判定した場合（ステップＳ９のＹｅｓ）、エラー処理部１４は、設定ファイル２２を参照してオペレータ音量Ｃを特定し、特定したオペレータ音量Ｃにて変数Ｓを書き換える（ステップＳ１０）。
【００４０】
ステップＳ１０の後、或いはステップＳ９においてオペレータを検出できなかったと判定した場合（ステップＳ９のＮｏ）、エラー処理部１４は、エラー出力データを生成する（ステップＳ１１）。さらに、エラー処理部１４は、生成したエラー出力データをエラー出力部１５に出力する。当該エラー出力データに含まれる表示データは、例えばエラーが発生した旨のメッセージと、エラー検出部１１から出力されたエラー情報が表すエラーの種別と、ステップＳ１にて判定したエラー重度とを含む。また、当該エラー出力データに含まれる音データは、例えば現在の変数Ｓにて示される出力音量と、エラー音の鳴動パターンとを含む。
【００４１】
ステップＳ１１の後、エラー出力部１５がエラーを報知する（ステップＳ１２）。具体的には、エラー出力部１５は、エラー処理部１４が出力したエラー出力データに含まれる表示データに応じた画面をコンソール６のディスプレイに表示させる。さらに、エラー出力部１５は、エラー処理部１４が出力したエラー出力データに含まれる音データに応じた鳴動パターン及び出力音量のエラー音をスピーカ９に発生させる。  
ステップＳ１１を以って、当該フローチャートに示す処理が完了する。
【００４２】
なお、ステップＳ１２の後、オペレータがコンソール６に対して所定の操作を行ったことに応じて、エラー出力部１５は、スピーカ９にエラー音の発生を停止させる。
【００４３】
以上説明したように、本実施形態における自動分析装置１は、周辺ノイズＮ、時刻、及び、オペレータが自動分析装置１の正面に所在するか否かに基づいて、エラー音の音量を決定する。このように、様々な条件に応じてエラー音の音量を決定することで、状況に即した適切な音量のエラー音を出力することができる。
【００４４】
また、エラー音を決定するための情報が記述された設定ファイル２２は、エラー音設定画面２００を用いて内容を変更することが可能である。したがって、自動分析装置１が配置された検査室の状況に応じて、最適なエラー音の設定を実現することができる。
【００４５】
なお、本実施形態においては、自動分析装置１がカメラ７、マイク８、及び、スピーカ９を備えるとした。しかしながら、カメラ７、マイク８、及び、スピーカ９は、必ずしも自動分析装置１が備える必要はなく、自動分析装置１とは別に設けてもよい。自動分析装置１にマイク８を設ける場合、分析機構３の駆動時に生じる振動等により、オペレータが聞くよりも大きな騒音をマイク８が拾う可能性がある。一方、マイク８を自動分析装置１から幾分離れた位置に配置した場合には、このような事態は生じない。カメラ７は、自動分析装置１の周囲を撮影できる位置、例えば天井に配置してもよい。この場合、カメラ７が撮影した画像に基づき、オペレータが自動分析装置１からどの程度離れた位置に居るかを把握することができる。自動分析装置１は、このように把握した距離が長いほど小さくなるようにエラー音の音量を調整してもよい。
【００４６】
また、本実施形態では、３つのエラー重度を定める場合を例示した。しかしながら、より多数、或いは２つのみのエラー重度を定めてもよい。
【００４７】
また、本実施形態では、周辺ノイズＮがエラー重度に応じた基本音量Ａを超える場合に、当該エラー重度に応じた周辺ノイズ補正量Ｂを基本音量Ａに加算するとした。すなわち、本実施形態では周辺ノイズＮに応じて２段階にエラー音の音量を調整する場合を例示したが、周辺ノイズＮに応じてより多段階にエラー音の音量を調整してもよい。この場合、周辺ノイズＮが大きいほどエラー音の音量が大きくなるように、周辺ノイズ補正量を段階的に増加させてもよいし、リニアに変化させてもよい。
【００４８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４９】
１…自動分析装置、３…分析機構、６…コンソール、７…カメラ、８…マイク、９…スピーカ、１０…コントローラ、１１…エラー検出部、１２…周辺音量計測部、１３…オペレータ検出部、１４…エラー処理部、１５…エラー出力部、２０…記憶装置、２１…データ、２２…設定ファイル、３０…時計回路、１００…人感センサ、２００…エラー音設定画面。
【図１】
2015004603.tif 000003
【図２】
2015004603.tif 000004
【図３】
2015004603.tif 000005
【図４】
2015004603.tif 000006
【図５】
2015004603.tif 000007